(57)【特許請求の範囲】
【請求項１】
香水や化粧水などの収容された容器取出口の操作頭部を取外して代わりに嵌合すべき、適当な弾性部材で形成された係合部を多段に形成すると共にそれら係合部の中央部に開口した取出孔を備えた押圧操作頭部を有し、前記取出孔に分取パイプを連結したことを特徴とする香水類分割取出用具。
【請求項２】
容器取出口に嵌合すべき係合部が３段の同心状に形成されたことを特徴とする特許項１に記載の香水類分割取出用具。
【請求項３】
径より長さを大とした硝子質容器の口部に吸上げパイプに連結された栓体を備え、該栓体中心部に前記吸上げパイプの上端を開口させ、該開口部に押圧操作頭部を装脱可能に設けた香水容器と請求項１又は２に記載の香水類分割取出用具とを組合わせて収容部体に収容したことを特徴とする香水類分割取出用具セット。
【請求項４】
吸上げパイプの上端に側面に補強縦線を配設した頂面閉塞操作部を形成したスポイト作用取出用具をも収容部体に収容したことを特徴とする請求項３に記載の香水類分割取出用具セット。
【請求項５】
香水類が収容される容器の取出口容器の取出口に設けられた吸上げパイプを介して流路に球弁または針弁などの逆止弁を設け、該流路の端部に装脱可能で弾性復元機構の配設された請求項１又は２に記載の操作頭部を備え、該操作頭部に形成された内孔が前記操作頭部の側面に開口され、該開口部に分注パイプを連結させるようにしたことを特徴とする香水類分割取出用容器。
【請求項６】
香水類が収容される容器の取出口内に設けられた吸上げパイプを介した流路に弁座と可曲弁体を設け、該流路の端部に装脱可能な請求項１又は２に記載の操作頭部を備え、該操作頭部に形成された内孔が前記操作頭部の側面に開口され、該開口部に分注パイプを連結したことを特徴とした香水類分割取出用容器。
【請求項７】
香水類が収容される容器の取出口内に設けられた吸上げパイプを介した流路に弁座を設けると共に弾性材を介装した球弁その他の弁体を設け、該弁体および弾性材に請求項１又は２に記載の操作頭部を持った圧下手段を配設したことを特徴とする香水類分割取出用容器。
【請求項８】
請求項１又は２に記載の操作頭部を持った圧下手段がピストンパイプであって該ピストンパイプの一端部が吸上げパイプに内装され、該吸上げパイプに球弁その他の弁体に対する弁座を形成したことを特徴とする請求項７に記載の香水類分割取出用容器。
【請求項９】
請求項５に記載の香水類分割取出用器と円筒型分注容器とを包装収納部体に収容させたことを特徴とする香水類分割取出用具セット。
【請求項１０】
請求項６に記載の香水類分割取出用器と円筒型分注容器とを包装収納部体に収容させたことを特徴とする香水類分割取出用具セット。
【請求項１１】
請求項７に記載の香水類分割取出用器と円筒型分注容器とを包装収納部体に収容させたことを特徴とする香水類分割取出用具セット。
【請求項１２】
請求項８に記載の香水類分割取出用器と円筒型分注容器とを包装収納部体に収容させたことを特徴とする香水類分割取出用具セット。
【請求項１３】
香水類分割取出用具と円筒型分注容器と共に操作部に凹凸条を形成した屈曲性押圧部を形成したスポイト式分割取出用具をもあわせて包装収容部体に収容したことを特徴とする請求項９に記載の香水類分割取出用具セット。
【請求項１４】
香水類分割取出用具と円筒型分注容器と共に操作部に凹凸条を形成した屈曲性押圧部を形成したスポイト式分割取出用具をもあわせて包装収容部体に収容したことを特徴とする請求項１０に記載の香水類分割取出用具セット。
【請求項１５】
香水類分割取出用具と円筒型分注容器と共に操作部に凹凸条を形成した屈曲性押圧部を形成したスポイト式分割取出用具をもあわせて包装収容部体に収容したことを特徴とする請求項１１に記載の香水類分割取出用具セット。
【請求項１６】
香水類分割取出用具と円筒型分注容器と共に操作部に凹凸条を形成した屈曲性押圧部を形成したスポイト式分割取出用具をもあわせて包装収容部体に収容したことを特徴とする請求項１２に記載の香水類分割取出用具セット。
【発明の詳細な説明】
技術分野
本発明は、香水類分注用具の創案に係り、各種香水類をそれぞれの利用者における簡易な着脱操作で平易且つ適確に分割注入（以下単に「分注」という）操作することのできる用具を提供し、また新しい香水等の使用法を得ようとするものである。
背景技術
香水や化粧水のような流動物は一般的にそれなりの流動作用をなすと共に反応性の強い成分を含有することから、硝子容器を用いることが不可欠的であり、しかも耐破損性などを考慮するとこはそれなりに厚さをもった容器が採用されることも必然的となっている。
なおこのような香水や化粧水などはその香気成分如何によって多様な製品があり、それらの製品を収容した容器に関してもメーカー毎にその形状、大きさを異にすると共に、取出し部の形状、径ないし大きさなどが夫々に異ったものとなっているのが普通であって、そうした多様な製品については各別の容器ないしその取扱用具を準備することが行われている。
香水などに関しては上記のように硝子容器を用いることが不可欠的で、また耐破損性などから厚肉とならざるを得ないと共に美化を必要とすることからキャップその他を含め特異な形状ないし立体的デザインが施されることとなる。即ちこのように厚肉でしかもデザインされたものは容器自体が内容量に比し相当に大型且つ大重量となり、ハンドバックなどに収容して携行するに適しない技術性ないし形態を有している。即ち硝子容器であることから硬質体であってそれなりに嵩張り、しかもその他の化粧品ないし装身用具と共に携帯することが必要であるから多数個の物体となり、ハンドバック内に収容して携行することは困難とならざるを得ない。
また前記したような従来における香水等の容器は仮りに回収しても洗浄して再利用するようなことは困難で、廃棄物として処理することとならざるを得ず、目的の香水量に比し廃棄物としての処理量が容積的および重量的の何れからしても著しく大とならざるを得ない。
更に上記したような香水等は一般的にその有効時間は２〜３時間程度であって旅行時などにおいては少なくともそれぞれの場合に即応して朝、昼、晩や会場雰囲気などにマッチした真に好ましい香水等を用いることがその効果を高める所以である。ところが上記のように容器が嵩張り、また重量も大とならざるを得な条件下では１個を携行すること自体がハンドバック等を不当に嵩張らせ、また重くして携帯困難となる不利があり、多数個を携行して使用するようなことは種々の支障がある。
即ち、上記のように携行に困難性があることから、仮りに携行して使用するとしても数に制限されることとなり、それぞれの場合において真に好ましい多様な香水等の利用をなすことができず、不満足なレベルでの香水等の使用条件で満足せざるを得ない。
従ってこの種香水等の一般的用法は前記のように嵩張った大重量の硝子容器に収容されたものを複数個化粧室などに準備陳列し、それぞれの場合にその何れかを選んで使用することになり、化粧室をベースとした使用となるので、自動車旅行や列車旅行などにおける好ましい利用に限界があり、噴霧機構を採用した瞬間的操作で足りるに拘わらずその利用上の不便ないし不利益を与えることとならざるを得ない。
発明の開示
本発明は、香水や化粧料などの収容された容器取出口に嵌合すべき係合部を多段に形成すると共にそれら係合部の中央部に開口した取出孔を備えた押圧操作頭部と取出孔に分取パイプを連結することにより、各種香水容器における取出口に共用することのできる香水類分割取出用具である。
また、香水類分割取出用具と円筒型分注容器とを包装収容部体に収容させることにより、携行性に優れた容器をも提供して各種香水等を適宜且つ適確に分取して、それぞれの香水等を各種旅行ないし会合条件下においても有効適切に利用することができる。
発明を実施するための最良の形態
上記したような本発明によるものの具体的な実施態様を添付図面に示すものについて説明すると、前記したような香水容器としては各メーカー毎および香水の種別毎に多様なものが採用されているが、代表的には図１（Ａ）（Ｂ）に示す如くであって、このような市販香水容器におけるピストンパイプたる取出口３の外形は３〜５ｍｍであり、斯様な範囲の取出口に対しては一般的にノズル方式で内容液を取出す操作頭部７が取付けられている。なおピストンパイプ３は図２（Ｂ）に示すように弾性復元機構１６を配設して上方に突出する復元作用力を帯びたものであって、吸上げパイプ９との間に連結パイプ３ａが取付けられ、しかも該ピストンパイプ３と吸上げパイプ９との間またはピストンパイプ３内に球弁その他の逆止弁６が設けられている。
本発明では上記した図１に示すような市販香水容器８の吸上パイプ９と連結したピストンパイプたる取出口３に取付けられた操作頭部７を取外し、図２に示すような分割注入用具１０をその分注パイプ１の一端に設けた分注操作頭部２において前記取出口３に装着するもので、該分注操作頭部２には係合口２１が少くとも２段以上の多段として、係合口２１、２１ａ、２１ｂの如く同心状に形成されることが好ましい。
なお市販用香水容器８の図２に示すようなピストンパイプ状取出口３には容器８内に垂下した吸上パイプ９が連結されているが、該吸上パイプ９における取出口３に近接した位置には公知のようにバルブや図１に示した球弁６に代え可撓弁たるバルブ６が設けられ、またピストンパイプ３の中間部に形成された鍔部２３は蓋部体１８の内側に突設された係止部１９上にセットされた弾性材１７の作用によって常に蓋部体１８の上部係止部２０に接合するように押上げ作用力を受けていて、操作頭部７（または交換された分注操作頭部２）を圧下することによりバルブ６部分より上部に収容されていた香水等が瞬間的に一定量だけ放出される如く構成され、しかもこのような弾性材１７、鍔部２３、係止部１９による弾力復元機構１６が上記押圧後に復元することによって吸上パイプ９内が負圧化して香水容器８内の香水を吸入するようになっている。
本発明では前述したように上記市販香水容器８のピストンパイプたる取出口３に設けられた操作頭部７を取外して別に図２に示したような分注操作頭部２を装着するもので、このようにして装着された分注操作頭部２を既述したような弾力復元機構１６の作用力に抗して圧下することにより前述した吸上パイプ９の逆止弁たるバルブ６を作用させて吸上パイプ９内の香水等を分注操作頭部２から分注パイプ１を介して取出すことができる。
なお上記したような弾力復元機構１６は、特に小型細径な吸上パイプ９および圧下されるピストンパイプ３内にセットするのに適した機構として図７または図８に示すような構造を採用することができる。即ちピストンパイプ３の下端を吸上パイプ９の上端に連結するに当って、吸上パイプ９の上端側を拡径して球状弁体２６と弾性スプリング１６ａの収容部９ａを形成したもので、拡径部２２には彎曲部２４を形成すると共にピストンパイプ３の下端部に通孔２５を穿設して該通孔２５部分が圧下されて拡径部２２を通過する場合に図７の（Ａ）（Ｂ）（Ｃ）として示すような過程を経て吸上パイプ９内の香水をピストンパイプ３内に通入するようになっている。
また図７のものは弁体２６として球状体を用いたものであるが、本発明によるものは別に図８として示したように下端部を針状部２７ａとして弁体２７を採用しても図７のものと同様の作用を得ることができ、即ちパイプ状体３、９間の連結構造を利用して小型且つ簡易な弁機構を提供する。
分注パイプ１によって取出された香水等は各人の趣好に応じた分注容器５に受入れられてよく、即ち中間部に適宜屈曲部の形成されたよりな分注パイプ１の吐出口１ｂは下向きとなり、該吐出口１ｂが分注容器５に挿入された状態で上記のような操作頭部２の圧下による分注操作をなすことにより適量の香水等を簡易且つ的確に分注することができ、容器外に放出するようなことを適切に防止し、安全な分取を行わしめ得る。
市販用香水容器８としては図１、２に示したものは単純な形態のものを代表的に示したが、従来から各メーカーで採用されているような多様なデザインが適宜に施された市販用香水容器８がそのまま採用してよいことは当然であって、購入者ないし使用者はこのような市販用香水容器８から前記のような分割注入操作をなし、香水等を分割取出すことが可能である。なお販売店などで分割注出して香水等を販売することも可能で、このような場合には殊更にデザインの施された市販用容器を採用する必要がなく、単純な図１、２に示すような容器や円筒形容器であっても陳列や販売上殆んど支障がない。即ち販売店等が収容されている香水等の品質を確認できればよいものであるから円筒容器の如きに貼着紙片を用いても内容物香水等の品質を充分に確認できる。
上記のような香水容器８に対して採用される分注容器５としては従来から市販用香水容器として採用されているものをそのまま採用することができ、このように市販用香水容器をそのまま採用することにより豪華な該容器の陳列展示作用の如きメリットを充分に活用することができる。また本発明によれば携帯用に適した例えば図３または図５、６に示すような小円筒型の容器５や偏平状容器をも分注容器として採用することが可能で、斯様な小円筒容器５や偏平状容器は殊更に嵩張ることがなく、場合によっては５本またはそれ以上をハンドバック等に収容しても無理のない携行ができる。キャップ１２を容器５と同径状としたものはハンドバックなどに収納しても安定した収納状態を形成し得る。
即ち２本以上が適宜に携行できることから旅行等においても適当な時間間隔毎や夫々の場における雰囲気に即応した香水等の使用を適切に可能ならしめ、また乗用車や列車内においても２〜３時間毎に噴霧使用することを可能となし、理想的な香水等の使用条件を形成し得る。分注容器５には噴霧頭１１およびキャップ１２が装着されることは図３の如くで、キャップ１２と噴霧頭１１を取外した状態で図４に示すような分注操作頭部２を図２の場合と同様に香水容器８のピストンパイプ３に装着することにより有効な使用をなし得ることは明らかである。このようにキャップ１２を施すようにされた容器５は噴霧頭１１を保護し、また全体が簡易な円筒状となることからハンドバックなどに収容した場合に嵩張ることがなく、しかも安定した収納状態を形成し得るから、多数個を併せて収納携行する上において好ましい。
また、本発明においては前記したような分注用具１０と図５に示したような分注容器５を組にして販売しまた取扱うことを提案するもので、その態様は図５と図６に示されている。即ち図５のものは前述したような分注容器５と分注用具１０を組として包装収納部体１５に収容したもので、包装収納部体１５としては透明性のものを用いることにより収納物を的確に認識し得ることは図示の如くである。
更に本発明によるものは別に図６に示したような分注用具１０としてスポイト式用具１３をも採用するようにして包装収納部体１５としたもので、市販香水容器８として吸上パイプ９やバルブ６、操作頭部７を有しない単なる容器ような場合にはこのスポイト式用具１３を用いることにより簡易的確に吸上げて分割し前記容器５などに注入することができることは明らかで、この図６のものは広い各種市販香水容器に対して採用することができるメリットを有している。
前記した図５または図６のように包装したものは包装収納容器１５の容積だけ嵩張ることになるが、複数の部体を緊密状に収容することにより実質的嵩高さは殆んどなく、取出しや収納操作を一体化して行い得ることから操作を容易とし、またハンドバック内などにおいてバラバラとなることがないメリットを得しめることは明らかである。
上記のようにして、香水や化粧料などの収容された容器取出口に嵌合すべき係合部を多段に形成すると共にそれら係合部の中央部に開口した取出孔を備えた押圧操作頭部を有し、前記取出孔に分取パイプを連結したことによって多様な容器の取出口に連結せしめ、それぞれの容器からの分割取出しを同じ用具によって可能ならしめ、携行性に適した容器に分割収容して旅行時などにおける複数種類の採用を可能とし適切な香水等の利用を図らしめる。
容器取出口に嵌合すべき係合部が適当な弾性部材で形成されると共に３段の同心状に形成されてことによって容器取出口に対し適宜に変形した着脱可能とし、しかも相当の多様な容器取出口変化に即応せしめた取出し操作を可能とし実質的に市販香水等の全般に対する分取取出しを図らしめる。例えばこの種香水等を受入れた容器取出口はパイプ状をなしているのが一般で、３段の同心状に形成された係合部の内外面を利用した接合取付けを図ることにより５〜６種の取出口変化に即応することができ、更に３段の係合部の内外面を夫々傾斜面とすることにより一層多くの取出口変化に即応し得る。
容器取出口に嵌合すべき係合部の側面に取出孔を備え、該取出孔に連結された分取パイプが中間部において下向きに屈曲されたことにより分取し取出された香水等が下向きに放出され、これを受入れる容器口部への注入を容易且つ的確化せしめる。
径より長さを大とした硝子質容器の口部に吸上げパイプに連結された栓体を備え、該栓体中心部に前記吸上げパイプの上端を開口させ、該開口部に押圧操作頭部を装脱可能に設けた香水容器と前記したような香水類分割取出用具とを収容部体に収容したことにより分割して取出された香水を収容する容器を前記したような分割取出用具と共に準備することができ、前記したような分割取出および前記香水容器によるハンドバック内に収容した携帯利用を適切に図らしめる。
吸上げパイプの上端に側面に補強縦線を配設した頂面閉塞操作部を形成したスポイト作用取出用具をも収容部体に収容したことによって押圧操作頭部を有しない容器内に収容された香水等をも上記したところと同様に別の容器内に分割取出さしめ上述したところと同じ使用を得しめる。
香水類が収容される容器の取出口内に設けられ吸上げパイプを介した流路に球弁などの逆止弁を設け、該流路の端部に装脱可能な操作ヘッドを備え、該操作ヘッドに形成された内孔が前記操作ヘッドの側面に開口され、該開口部に分注パイプを連結したことによって、それぞれの容器からの分割取出しを可能ならしめ、携行性に適した容器に分割収容して旅行時などにおける好ましい使用を図らしめる。
香水類が収容される容器の取出口内に設けられ吸上げパイプを介して流路に弁座と可曲弁体を設け、該流路の端部に装脱可能な操作ヘッドを備え、該操作ヘッドに形成された内孔が前記操作ヘッドの側面に開口され、該開口部に分注パイプを連結させるようにしたことによっても好ましい香水等の分割取出しを可能ならしめて有利な使用を図らしめる。
香水類が収容される容器の取出口内に設けられ吸上げパイプを介した流路に弁座を設けると共に弾性材を介装した球弁その他の弁体を設け、該弁体および弾性材に操作頭部をもった圧下手段を配設したことにより圧下手段の配設されたピストンパイプを利用して比較的簡易且つコンパクトな構成によって円滑な香水の分割取出しを可能ならしめる。
操作頭部をもった圧下手段がピストンパイプであって該ピストンパイプの一端部が吸上げパイプに内装され、該吸上げパイプに球弁その他の弁体に対する弁座を形成したことにより吸上げパイプと操作頭部をもったピストンパイプを利用して比較的簡易な構成により円滑な香水の分割取出しを可能ならしめる。
上記したような香水類分割取出用具と円筒型分注容器とを包装収容部体に収容させたことにより分割して取出された香水を収容する容器を前記したような分割取出用具と共に準備することができ、前記したような分割取出および前記香水容器によるハンドバック内に収容した携帯利用を適切に図らしめる。
香水類分割取出用具と円筒型分注容器と共に操作部に凹凸条を形成した屈曲性押圧部を形成したスポイト式分割取出用具をも収容部体に収容したことによって押圧操作頭を有しない一般的容器内に収容された香水等をもこのスポイト式取出用具により上記したところと同様に別の容器内に分割取出さしめて上述したところと同じに使用を得しめる。
産業上の利用可能性
以上説明したような本発明によるときは市販用香水容器内の香水等を該市販用香水容器に装備された香水等噴出のための吸上パイプを利用した条件下で分注パイプを適宜に装備し、前記市販用香水容器内の香水等を各使用者または販売店などにおいて適宜に分注せしめ、有利な香水等の販売および使用操作を可能ならしめるものである。
【図面の簡単な説明】
図１は本発明において採用する市販用香水容器の１例を示す正面図、図２は本発明における分注用具の１例について図１の市販用香水容器に装着した状態の部分切欠正面図、図３は本発明で用いる分割注入容器の１例についての分解側面図図４は本発明における分割注入用具の１例を示した側面図、図５は本発明において用いられる分割注入容器と図４の分割注入用具との組合わせ包装収納部体の１例を示した平面図、図６は本発明による分割注入容器および分割注入用具のもう１つの組合わせ包装収納部体についての平面図、図７は本発明における比較的簡易な構成による逆止弁機構の１例についてその作動関係を段階的に示した説明図  図８は図７に示したものにおいて針状弁を用いた場合の要部を示した部分的説明図である。
【図１】
0004032132.tif 000002
【図２】
0004032132.tif 000003
【図３】
0004032132.tif 000004
【図４】
0004032132.tif 000005
【図５】
0004032132.tif 000006
【図６】
0004032132.tif 000007
【図７】
0004032132.tif 000008
【図８】
0004032132.tif 000009